(57)【要約】【課題】エラーメッセージの割り込み表示を無効にした場合でもエラー内容を把握することが可能な投射型表示装置およびその制御方法を提供すること【解決手段】投射型表示装置は、エラー発生時にスクリーンＳへエラーメッセージが割り込み表示されることを無効に設定すると共に、エラーメッセージが表示される条件を設定するエラー表示設定手段１３と、エラー表示設定手段１３によって設定された条件が満足された場合にエラーメッセージをスクリーンＰへ表示させ、条件が満足されない場合にエラーメッセージをスクリーンＰへ表示させないエラー表示手段１４と、を有する。【選択図】図１
2014089366.tif 000002
【特許請求の範囲】
【請求項１】
画像を被投射面に投射する投射型表示装置であって、
エラー発生時に前記被投射面へエラーメッセージが割り込み表示されることを無効に設定すると共に、前記エラーメッセージが表示される条件を設定する設定手段と、
前記設定手段によって設定された前記条件が満足された場合に前記エラーメッセージを前記被投射面へ表示させ、前記条件が満足されない場合には前記エラーメッセージを前記被投射面へ表示させないエラー表示手段と、
を有することを特徴とする投射型表示装置。
【請求項２】
前記条件は、電源をオフにするコマンドが入力されることであり、
前記投射型表示装置は、前記エラー表示手段が前記エラーメッセージを表示させてから電源をオフにする制御手段を更に有することを特徴とする請求項１に記載の投射型表示装置。
【請求項３】
前記条件は、電源をオンにするコマンドが入力されることであり、
前記投射型表示装置は、前記エラー表示手段が前記エラーメッセージを表示させてから前記画像を表示可能にする制御手段を更に有することを特徴とする請求項１に記載の投射型表示装置。
【請求項４】
前記コマンドが入力操作される操作手段を更に有することを特徴とする請求項２または３に記載の投射型表示装置。
【請求項５】
前記コマンドを受信する通信手段を更に有することを特徴とする請求項２または３に記載の投射型表示装置。
【請求項６】
前記条件は、強制的に電源をオフにするコマンドが発生することであり、
前記投射型表示装置は、前記エラー表示手段が前記エラーメッセージを表示させてから前記電源を強制的にオフにする制御手段を更に有することを特徴とする請求項１乃至５のうち１項に記載の投射型表示装置。
【請求項７】
一定時間内に電源をオフにするコマンドが２回入力されると電源をオフにする制御手段を更に有し、
前記条件は、電源をオフにする最初のコマンドが入力されることであることを特徴とする請求項１乃至６のうち１項に記載の投射型表示装置。
【請求項８】
前記条件は、前記エラーメッセージの表示を許可するコマンドが入力されることであることを特徴とする請求項１乃至７のうち１項に記載の投射型表示装置。
【請求項９】
画像を被投射面に投射する投射型表示装置の制御方法であって、
エラー発生時に前記被投射面へエラーメッセージが割り込み表示されることを無効に設定すると共に、前記エラーメッセージが表示される条件を設定するステップと、
前記条件が満足された場合に前記エラーメッセージを表示させるステップと、
前記条件が満足されない場合には前記エラーメッセージを表示させないステップと、
を有することを特徴とする投射型表示装置の制御方法。
【請求項１０】
前記エラーメッセージは、前記被投射面に表示されることを特徴とする請求項９に記載の投射型表示装置の制御方法。
【請求項１１】
前記エラーメッセージは、前記投射型表示装置が接続されたパーソナルコンピュータのディスプレイに表示されることを特徴とする請求項９または１０に記載の投射型表示装置の制御方法。
【発明の詳細な説明】
【技術分野】
【０００１】
本発明は、液晶プロジェクタ等の投射型表示装置およびその制御方法に関する。
【背景技術】
【０００２】
特許文献１は、内部温度が異常である場合に温度エラーメッセージをＯＳＤ（オンスクリーンディスプレイ）表示する投射型表示装置を開示している。また、投射継続ができないほど高温になった場合には、異常を示すＬＥＤランプが点灯した後、ランプを強制的に消灯する投射型表示装置も知られている。更に、従来は、エラーメッセージは発生時に割り込み表示されていた。
【先行技術文献】
【特許文献】
【０００３】
【特許文献１】特開２００７−０２５２０９号公報
【発明の概要】
【発明が解決しようとする課題】
【０００４】
ショールームでのプレゼンテーション等では、投射が継続可能であればエラーメッセージの割り込み表示によるプレゼンテーションの中断をユーザが望まない場合があり、エラーメッセージの割り込み表示を無効にする機能の需要がある。その一方で、プレゼンテーションが終了後にはエラー内容を把握しておきたい需要もある。
【０００５】
本発明は、エラーメッセージの割り込み表示を無効にした場合でもエラー内容を後で把握することが可能な投射型表示装置およびその制御方法を提供することを例示的な目的とする。
【課題を解決するための手段】
【０００６】
本発明の投射型表示装置は、画像を被投射面に投射する投射型表示装置であって、エラー発生時に前記被投射面へエラーメッセージが割り込み表示されることを無効に設定すると共に、前記エラーメッセージが表示される条件を設定する設定手段と、前記設定手段によって設定された前記条件が満足された場合に前記エラーメッセージを前記被投射面へ表示させ、前記条件が満足されない場合には前記エラーメッセージを前記被投射面へ表示させないエラー表示手段と、を有することを特徴とする。
【発明の効果】
【０００７】
本発明によれば、エラーメッセージの割り込み表示を無効にした場合でもエラー内容を把握することが可能な投射型表示装置およびその制御方法を提供することができる。
【図面の簡単な説明】
【０００８】
【図１】本発明の投射型表示装置のブロック図である。（実施例１〜４）
【図２】本発明のエラー表示処理を示すフローチャートである。（実施例１）
【図３】本発明のエラー表示処理を示すフローチャートである。（実施例２）
【図４】本発明のエラー表示処理を示すフローチャートである。（実施例３）
【図５】本発明のエラー表示処理を示すフローチャートである。（実施例４）
【図６】本発明の画像表示システムの斜視図である。（実施例５）
【発明を実施するための形態】
【０００９】
図１は、本実施形態の液晶プロジェクタ（投射型表示装置、画像表示装置）のブロック図である。液晶プロジェクタはスクリーン（被投射面）Ｐに画像を投射して表示する。
【００１０】
１は入力端子であり、デジタルＲＧＢ信号、アナログＲＧＢ信号、ビデオ信号などの入力信号が入力される。入力信号は画像処理部２にてゲインやオフセット、色調整などの輝度・色信号処理や解像度変換やフレームレート変換、キーストンなどの画像処理などが施される。３は、設定画面をディスプレイ画面に表示して操作するためのＯＳＤ表示部である。４は、液晶パネル７が駆動可能な信号を出力するパネル駆動回路である。
【００１１】
５は電源より供給される電力からランプ６に供給する安定した高電圧を発生させるランプ駆動回路（バラスト）である。液晶パネル７は、各色成分の光（色光）を映像信号に応じて変調して反射する画像変調素子である。投影レンズ８は、合成光をスクリーンＰへ投影して画像を表示する。９は操作手段である。まず、操作手段９は、ポインティングデバイスやタッチパネルを有してコマンドがオンサイトで入力操作される操作手段として機能する。また、操作手段９は、外部機器との接続端子（ネットワーク端子、ＵＳＢ端子、リモコン受信部など）を有してコマンドを送受信する通信手段としても機能する。
【００１２】
１０は、マイクロコンピュータとして構成される制御部（制御手段）である。制御部１０は、画像処理部２、ＯＳＤ表示部３、パネル駆動回路４、操作手段９、温度、湿度、電流値、電圧値、その他の計測対象を計測するセンサ１１、１２に接続されている。センサ１１、１２の数や計測対象は限定されない。
【００１３】
制御部１０は、エラー表示設定手段１３、エラー表示手段１４、エラー検出手段１５、ＲＯＭ１６、ＣＰＵ１７、ＲＡＭ１８を有する。
【００１４】
エラー表示設定手段１３は、エラー発生時にエラーメッセージがスクリーンＰに割り込み表示されることを、操作手段９を利用して有効（オン）、無効（オフ）に設定する。また、エラー表示設定手段１３は、無効にする場合には設定された時に表示するか、全く表示しないか、表示する条件、表示時間などを設定することもできる。なお、表示時間は変更不能（固定値）であってもよい。
【００１５】
エラー表示手段１４は、エラー検出手段１５が検出したエラーを表示するようにＯＳＤ表示部３を制御する。エラー表示手段１４は、エラー表示設定手段１３が設定した条件が満足された場合にエラーメッセージをスクリーンＰへ表示させ、条件が満足されない場合にエラーメッセージをスクリーンＰへ表示させない。エラー表示手段１４からの制御信号に従ってパネル駆動回路４が液晶パネル７を駆動する結果、エラー内容がスクリーンＰに表示される。なお、条件が満足されたかどうかの判断はエラー表示手段１４が行ってもよいし、ＣＰＵ１７が行ってもよい。
【００１６】
エラー検出手段１５は、センサ１１、１２の計測結果を所定の閾値と比較することによってエラー検出を行う。例えば、エラー検出手段１５は、現在の温度を第１の閾値未満と判断すれば正常であることを示す信号を生成してＣＰＵ１７に送信するか、何の信号も生成しない。エラー検出手段１５は、現在の温度が第１の閾値以上第２の閾値未満であると判断すると異常ではあるが、継続使用は可能であることを示す信号を生成してＣＰＵ１７またはエラー表示手段１４に送信する。エラー検出手段１５は、現在の温度が第２の閾値であると判断すると継続使用はできず強制終了が必要なことを示す信号を生成してＣＰＵ１７またはエラー表示手段１４に送信する。
【００１７】
上述したように、エラーの種類は温度に限定されず、例えば、ランプ交換エラー、ランプカバーエラー、電源エラー、ダストフィルターエラー、など、投射表示でＯＳＤ多重可能な全てのエラーが対象となる。
【００１８】
ＣＰＵ１７は、投射型表示装置の各部を制御する制御手段である。ＣＰＵ１７は、エラー検出手段１５が検出したエラーとエラー表示設定手段１３で設定された条件に従ってエラー表示手段１４からＯＳＤ表示部３を制御してもよい。表示時間は不図示のクロック生成部を利用して計数される。ＲＯＭ１６とＲＡＭ１８はメモリの一例であり、エラー検出手段１５が使用する閾値、エラー表示設定手段１３が設定した条件、後述するフローチャートのプログラム、各種フラグ等の情報を格納する。
【００１９】
２０は電源プラグ、２１はランプ／回路電源、２２は常時電源である。常時電源２２は電源プラグ２０が電源供給を受けている限り、制御部１０に電源を供給する。一方、ランプ／回路電源２１は、画像処理部２、ＯＳＤ表示部、パネル駆動回路４、ランプ駆動回路５、ランプ６に電源を供給するが、この電源供給は制御部１０によって制御される。制御部１０は、電源ＯＮ／ＯＦＦの命令を操作手段９から受信すると、それに基づいてランプ／回路電源２１をオンオフする。あるいは、制御部１０は、強制終了が必要であると判断すると、ランプ／回路電源２１をオフする。
【００２０】
以下に説明する各実施例では、エラー表示設定手段１３は、エラー発生時の割り込み表示を無効にするが、エラー発生後の所定条件下で設定時間だけエラーメッセージを表示するように設定することができる。エラー発生時の割り込み表示を無効にするため、例えば、ショールームでのプレゼンテーション等では、投射が継続可能な範囲ではエラーメッセージの割り込みによるプレゼンテーションの中断を防止することができる。また、エラー発生後の所定条件下で設定時間だけエラー内容を表示するため、ユーザはエラー除去の対策（例えば、ランプの交換）を準備することができる。条件は、電源をオフにするコマンドが入力されること、電源をオフにするコマンドが入力されてから最初に前記電源をオンにするコマンドが入力されること、強制的に電源をオフにするエラーが発生することであってもよい。また、条件は、ユーザが表示を希望したこと（エラーメッセージの表示を許可するコマンドが入力されること）、入力端子１に入力がないことなどが考えられる。これらの場合には投射すべき画像がないと考えられるからである。
【００２１】
以下、実施例１〜６の制御部１０が実行するエラー表示処理を説明する。各実施例のフローチャートは、コンピュータによって実行可能なプログラムとして実現可能であり、「Ｙ」はＹｅｓ（はい）、「Ｎ」はＮｏ（いいえ）、「Ｓ」はステップ（工程）の略である。
【実施例１】
【００２２】
図２は、実施例１のエラー表示処理を示すフローチャートを示している。エラー表示設定手段１３が設定を行い（Ｓ１）、エラー割り込み表示をオンまたはオフに設定する（Ｓ２）。
【００２３】
割り込み表示がオンの場合には（Ｓ２のＮ）、エラー検出手段１５が温度エラーの発生の有無を監視し（Ｓ１０）、温度エラー発生時には（Ｓ１０のＹ）、エラー表示手段１４が温度エラーのエラーメッセージを所定時間投射画像にＯＳＤ多重表示する（Ｓ１１）。温度エラーが発生しない場合（Ｓ１０のＮ）やＳ１１の後でＣＰＵ１７は操作手段９から電源オフコマンドの受信を待ち（Ｓ１２）、受信しなければ（Ｓ１２のＮ）Ｓ１０に戻り、受信すると（Ｓ１２のＹ）ランプ／回路電源２１をオフにする（Ｓ９）。なお、操作手段９が取得するコマンドがオンサイトによるものでも外部通信によるものでもよいことは上述した通りである。
【００２４】
一方、割り込み表示がオフの場合には（Ｓ２のＹ）、エラー検出手段１５が温度エラーの発生の有無を監視する（Ｓ３）。ＣＰＵ１７は、温度エラー発生時には（Ｓ３のＹ）温度エラーフラグ１を設定し（Ｓ５）、温度エラー発生しない場合には（Ｓ３のＮ）温度エラーフラグ０を設定する（Ｓ４）。Ｓ４、５の後で、ＣＰＵ１７は電源オフコマンドの受信を待ち（Ｓ６）、受信しなければ（Ｓ６のＮ）Ｓ３に戻る。一方、電源オフコマンドを受信すると（Ｓ６のＹ）、温度エラーフラグが１であれば（Ｓ７のＹ）、エラー表示手段１４はエラーメッセージを所定の時間投射画像にＯＳＤ多重表示し（Ｓ８）、その後にＣＰＵ１７はランプ／回路電源２１をオフにする（Ｓ９）。また、ＣＰＵ１７は、電源オフコマンドを受信しても（Ｓ６のＹ）、温度エラーフラグが０であれば（Ｓ７のＮ）、ランプ／回路電源２１をオフにする（Ｓ９）。
【００２５】
本実施例によれば、エラー割り込み表示をオフとした場合でも、エラーが発生した場合にはランプ／回路電源２１をオフにする前にエラーメッセージをＯＳＤ表示するため、ユーザはエラー除去の対策を準備することができる。
【実施例２】
【００２６】
図３は、実施例２のエラー表示処理を示すフローチャートを示している。図２と同様のステップには同一の符号を付している。本実施例では、エラーが発生してランプ／回路電源２１をオフにした後で最初にランプ／回路電源２１をオンにした場合にエラー表示を行う。
【００２７】
割り込み表示がオンの場合は（Ｓ２のＮ）、Ｓ１０の前にＣＰＵ１７が温度エラーフラグ０を設定する（Ｓ２１）以外は図２と同様である。
【００２８】
一方、割り込み表示がオンの場合には（Ｓ２のＮ）、Ｓ６までは図２と同様であるが、Ｓ６でＹの後にＳ７、Ｓ８が行われない。ＣＰＵ１７は、電源オフコマンドを受信すると（Ｓ６のＹ）、ランプ／回路電源２１をオフにする（Ｓ９）。その後、ＣＰＵ１７は、操作手段９から電源オンコマンドを受信すると（Ｓ６のＹ）、ランプ／回路電源２１をオンにする（Ｓ２２）。その後に、温度エラーフラグが１であれば（Ｓ７のＹ）、エラー表示手段１４はエラーメッセージを所定時間投射画像にＯＳＤ多重表示し（Ｓ８）、その後にＣＰＵ１７は画像を表示可能にする通常表示に移行する（Ｓ２３）。また、ＣＰＵ１７は、温度エラーフラグが０であれば（Ｓ７のＮ）、通常表示に移行する（Ｓ２３）。
【００２９】
本実施例によれば、エラー割り込み表示をオフとした場合でも、エラーが発生し、ランプ／回路電源オフとなり、その後にオンとなった後でエラーメッセージをＯＳＤ表示する。このため、ユーザは通常表示前にエラー除去の対策を準備することができる。
【実施例３】
【００３０】
図４は、実施例３のエラー表示処理を示すフローチャートを示している。図２と同様のステップには同一の符号を付している。本実施例は、強制的にランプ／回路電源２１をオフにする場合のエラー表示について説明している。強制消灯の場合には、エラー割り込み表示のオン／オフに拘らず、強制消灯エラーが発生すれば（Ｓ３０のＹ、Ｓ３１のＹ）、ランプ／回路電源はオフとなる直前でエラー表示手段１４はエラーメッセージを所定の時間投射画像にＯＳＤ多重表示する（Ｓ３２）。その後、制御手段１０はランプ／回路電源２１を強制的にオフにする（Ｓ３３）。
【００３１】
本実施例によれば、エラー割り込み表示をオフとした場合でも、強制消灯エラーが発生した場合にはランプ／回路電源２１をオフにする前にエラーメッセージをＯＳＤ表示するため、ユーザはエラー除去の対策を準備することができる。
【実施例４】
【００３２】
図５は、実施例３のエラー表示処理を示すフローチャートを示している。図２と同様のステップには同一の符号を付している。本実施例は、ＣＰＵ１７は、一定時間内に電源をオフにするコマンドが２回入力されるとランプ／回路電源２１をオフにする。
【００３３】
割り込み表示がオンの場合は（Ｓ２のＮ）図２と同様であるが、Ｓ１２では電源オフ操作が２回行われる。
【００３４】
一方、割り込み表示がオフの場合には（Ｓ２のＹ）、Ｓ３〜Ｓ５までは図２と同様であるが、Ｓ４、Ｓ５の後で、ＣＰＵ１７は最初の電源オフコマンドの受信を待ち（Ｓ４０）、受信しなければ（Ｓ４０のＮ）Ｓ３に戻る。一方、最初の電源オフコマンドを受信すると（Ｓ４０のＹ）、温度エラーフラグが１であれば（Ｓ７のＹ）、エラー表示手段１４はエラーメッセージを所定の時間投射画像にＯＳＤ多重表示する（Ｓ８）。温度エラーフラグが１でない場合（Ｓ７のＮ）、またはＳ８の後で、ＣＰＵ１７は２回目の電源オフコマンドの受信を待ち（Ｓ４１）、受信しなければ（Ｓ４１のＮ）Ｓ３に戻る。一方、２回目の電源オフコマンドを受信すると（Ｓ４１のＹ）、ランプ／回路電源２１をオフにする（Ｓ９）。
【００３５】
本実施例によれば、エラー割り込み表示をオフとした場合でも、エラーが発生した場合には１回目の電源オフ操作後にエラーメッセージをＯＳＤ表示するため、ユーザはエラー除去の対策を準備することができる。
【実施例５】
【００３６】
図６は、実施例５の画像表示システムの斜視図である。画像表示システムは、映像分配を行うパーソナルコンピュータ（ＰＣ）２０１、キーボードやマウス、ディスプレイ２０２、複数（２台）の液晶プロジェクタ２０３、２０４、ケーブル２０５、２０６を有する。画像表示システムは、スクリーン２０７に投射される画像の一部が重なるように液晶プロジェクタ２０３、２０４を配置し、液晶プロジェクタ２０３、２０４はネットワーク接続され、必要があれば他方の情報を相互に取得することができる。このように画像の一部が重なるように投射することを「エッジブレンド」と呼ぶ場合がある。映像分配装置２０１は、モニタ２０２に表示されている画像を、ケーブル２０５，２０６を介して液晶プロジェクタ２０３，２０４に出力する。
【００３７】
この場合、エラー表示の制御は、実施例１〜４と同様に、各液晶ディスプレイが行ってもよいが、ＰＣ２０１が行ってもよい。その場合、ＰＣ２０１が図１に示す制御部１０の各構成要素を有する。また、複数の液晶ディスプレイが画像を表示する際に使用される場合にはスクリーン２０７に表示される際にどの液晶ディスプレイのエラーであるかの情報も併せて表示されることが好ましい。また、エッジブレンドの場合には、スクリーン２０７に投射される画像は、他の画像と重畳される領域である重畳部と他の画像と重畳されない領域である非重畳部とを有する。制御部１０またはＰＣ２０１は、１台の液晶ディスプレイのみを使用してエラー表示を行ってもよいし、エラーを発生していない液晶ディスプレイと共に複数台の液晶ディスプレイを使用してエラー表示を行ってもよい。スクリーン２０７に投射する代わりに、あるいは、スクリーン２０７に投射しつつ、ディスプレイ２０２にエラー表示を行ってもよい。
【００３８】
以上、本発明の好ましい実施例について説明したが、本発明はこれらの実施例に限定されず、その要旨の範囲内で種々の変形及び変更が可能である。
【産業上の利用可能性】
【００３９】
投射型表示装置は、液晶プロジェクタの分野に適用することができる。
【符号の説明】
【００４０】
１３…エラー表示設定手段、１４…エラー表示手段
【図６】
2014089366.tif 000003
【図１】
2014089366.tif 000004
【図２】
2014089366.tif 000005
【図３】
2014089366.tif 000006
【図４】
2014089366.tif 000007
【図５】
2014089366.tif 000008